(57)【要約】【課題】デジタルカメラ等の撮像装置の利便性を向上する。【解決手段】バッファ残り駒数表示部８１２には、通常の場合、バッファ残り駒数ｍが点灯表示されているが、メモリカード９４が所定の状態である場合、表示形式および表示内容のうちの少なくともひとつが、それぞれ、バッファ残り駒数ｍおよび点灯表示から変更される。【選択図】図４
2006086602.tif 000002
【特許請求の範囲】
【請求項１】
撮像を行い、撮像画像に係る画像データを生成する撮像手段と、
前記撮像手段が生成した画像データを記憶する第１記憶手段および第２記憶手段と、
情報を表示する表示手段と、
前記表示手段における表示を制御する表示制御手段と、
を備え、
前記表示制御手段は、前記第２記憶手段が所定の状態である場合に、前記表示手段における表示を、前記第１記憶手段の状態に関する表示から変更することを特徴とする撮像装置。
【請求項２】
請求項１に記載の撮像装置において、
前記撮像手段が生成した画像データが、前記第１記憶手段に一時的に記憶された後に、前記第２記憶手段へ転送されることを特徴とする撮像装置。
【請求項３】
請求項２に記載の撮像装置において、
前記所定の状態が、新たな画像データを記憶するための記憶容量が前記第２記憶手段に残っていない状態であることを特徴とする撮像装置。
【請求項４】
請求項２に記載の撮像装置において、
前記所定の状態が、前記第２記憶手段へのアクセスができない状態であることを特徴とする撮像装置。
【請求項５】
請求項２に記載の撮像装置において、
前記所定の状態が、前記第１記憶手段に新たに記憶可能な画像データの数よりも、前記第２記憶手段に新たに記憶可能な画像データの数が少ない状態であることを特徴とする撮像装置。
【請求項６】
請求項１ないし請求項５のいずれかに記載の撮像装置において、
前記表示制御手段は、前記第２記憶手段が所定の状態である場合に、前記表示手段における表示の表示形式を、前記第２記憶手段の状態を反映した表示形式へ変更することを特徴とする撮像装置。
【請求項７】
請求項６に記載の撮像装置において、
前記第２記憶手段の状態を反映した表示形式では、点滅表示が行われることを特徴とする撮像装置。
【請求項８】
請求項１ないし請求項７のいずれかに記載の撮像装置において、
前記表示手段は、前記第２記憶手段が所定の状態である場合に、前記表示手段における表示の表示内容を、前記第２記憶手段の状態を反映した表示内容へ変更することを特徴とする撮像装置。
【請求項９】
請求項１ないし請求項８のいずれかに記載の撮像装置において、
前記第２記憶手段が、前記撮像装置の本体部から着脱可能であることを特徴とする撮像装置。
【請求項１０】
請求項１ないし請求項９のいずれかに記載の撮像装置において、前記表示制御手段が、撮像画像に係る画像データの記憶に応答して変更を行うことを特徴とする撮像装置。
【発明の詳細な説明】
【技術分野】
【０００１】
本発明は、撮像装置に関する。
【背景技術】
【０００２】
従来より、デジタルカメラでは、メモリカード等の記録媒体に記憶可能な画像データ数、すなわち、記録媒体に記録可能な撮影枚数を表示することが行われている。例えば、特許文献１には、記録媒体に記録可能な撮影枚数を表示するとともに、記録媒体の空容量に応じてその表示形式を変更するデジタルカメラが開示されている。
【０００３】
【特許文献１】特開平６−３５０９５０号公報
【発明の開示】
【発明が解決しようとする課題】
【０００４】
一方、デジタルカメラでは、撮像画像に係る画像データを、高速なバッファメモリに一時的に記憶させた後に、記録先となる記録媒体へ転送することにより、連射性能等を向上させている。
【０００５】
このようなデジタルカメラでは、バッファメモリおよび記録媒体の両方の状態が撮影に影響を与える。例えば、バッファメモリの空容量の有無は、撮影の実行可否に影響を与える。加えて、バッファメモリに空容量があっても、記録媒体の状態が撮影を実行不可能な状態である場合、当該デジタルカメラにおいて撮影を実行することはできない。また、撮影を行ったとしても、画像データを記録媒体に記録することはできない。
【０００６】
しかし、特許文献１のデジタルカメラでは、バッファメモリおよび記録媒体の両方の状態を撮影者は認識することができず、利便性が著しく損なわれていた。
【０００７】
本発明は、この問題を解決するためになされたもので、デジタルカメラ等の撮像装置の利便性を向上することを目的としている。
【課題を解決するための手段】
【０００８】
上記課題を解決するため、請求項１の発明は、撮像を行い、撮像画像に係る画像データを生成する撮像手段と、前記撮像手段が生成した画像データを記憶する第１記憶手段および第２記憶手段と、情報を表示する表示手段と、前記表示手段における表示を制御する表示制御手段とを備え、前記表示制御手段は、前記第２記憶手段が所定の状態である場合に、前記表示手段における表示を、前記第１記憶手段の状態に関する表示から変更する。
【０００９】
請求項２の発明は、請求項１に記載の撮像装置において、前記撮像手段が生成した画像データが、前記第１記憶手段に一時的に記憶された後に、前記第２記憶手段へ転送される。
【００１０】
請求項３の発明は、請求項２に記載の撮像装置において、前記所定の状態が、新たな画像データを記憶するための記憶容量が前記第２記憶手段に残っていない状態である。
【００１１】
請求項４の発明は、請求項２に記載の撮像装置において、前記所定の状態が、前記第２記憶手段へのアクセスができない状態である。
【００１２】
請求項５の発明は、請求項２に記載の撮像装置において、前記所定の状態が、前記第１記憶手段に新たに記憶可能な画像データの数よりも、前記第２記憶手段に新たに記憶可能な画像データの数が少ない状態である。
【００１３】
請求項６の発明は、請求項１ないし請求項５のいずれかに記載の撮像装置において、前記表示制御手段は、前記第２記憶手段が所定の状態である場合に、前記表示手段における表示の表示形式を、前記第２記憶手段の状態を反映した表示形式へ変更する。
【００１４】
請求項７の発明は、請求項６に記載の撮像装置において、前記第２記憶手段の状態を反映した表示形式では、点滅表示が行われる。
【００１５】
請求項８の発明は、請求項１ないし請求項７のいずれかに記載の撮像装置において、前記表示手段は、前記第２記憶手段が所定の状態である場合に、前記表示手段における表示の表示内容を、前記第２記憶手段の状態を反映した表示内容へ変更する。
【００１６】
請求項９の発明は、請求項１ないし請求項８のいずれかに記載の撮像装置において、前記第２記憶手段が、前記撮像装置の本体部から着脱可能である。
【００１７】
請求項１０の発明は、請求項１ないし請求項９のいずれかに記載の撮像装置において、前記表示制御手段が、撮像画像に係る画像データの記憶に応答して変更を行う。
【発明の効果】
【００１８】
請求項１ないし請求項１０の発明によれば、第１記憶手段の状態と、第２記憶手段が所定の状態となったこととを、ひとつの表示手段により認識可能となるので、撮像装置の利便性が向上する。また、第２記憶手段が所定の状態となったことを報知するための部材が不要になるので、撮像装置のコストダウンや小型化を実現可能である。
【００１９】
請求項３の発明によれば、第２記憶手段への新たな画像データの記憶が不可能であることを認識可能となるので、新たな画像データを記憶するための記憶容量が第１記憶手段に残っている場合に、第２記憶手段への新たな画像データの記憶が不可能であることに気がつかずに撮像を行うことを防止可能である。
【００２０】
請求項４の発明によれば、第２記憶手段へのアクセスができない状態であることを認識可能となるので、新たな画像データを記憶するための記憶容量が第１記憶手段に残っている場合に、第２記憶手段へのアクセスができないことに気がつかずに撮像を行うことを防止可能である。
【００２１】
請求項５の発明によれば、第１記憶手段に記憶された画像データの全てを第２記憶手段へ転送できない場合があることを認識可能であるので、新たな画像データを記憶するための記憶容量が第１記憶手段に残っている場合に、第２記憶手段への新たな画像データの記憶が不可能であることに気がつかずに撮像を行うことを防止可能である。
【００２２】
請求項６または請求項７の発明によれば、第２記憶手段が所定の状態となったことを表示形式の変更により認識可能となるので、表示内容が一定であっても、第２記憶手段が所定の状態となったことを認識可能である。
【００２３】
請求項８の発明によれば、表示内容に第２記憶手段の状態が反映されるので、第２記憶状態の具体的な状態を認識可能となる。
【００２４】
請求項１０の発明によれば、撮像画像に係る画像データの記憶に応答して表示が更新されるので、第１記憶手段および第２記憶手段の状態に関する最新の情報を認識可能である。
【発明を実施するための最良の形態】
【００２５】
本発明の実施形態に係るデジタルカメラ１０ａは、撮像画像に係る画像データを、高速なバッファメモリ５６に一時的に記憶させた後に、記録先となるメモリカード９４へ転送する撮像装置である。
【００２６】
デジタルカメラ１０ａでは、後述するバッファ残り駒数表示部８１２に、バッファメモリ５６に新たに記憶可能な画像データの数が表示される。しかし、デジタルカメラ１０ａは、新たな画像データをメモリカード９４へ記憶することが不可能である場合等には、バッファ残り駒数表示部８１２の表示を、そのことを操作者に認識させるための表示へ変更する。
【００２７】
以下では、このようなデジタルカメラ１０ａの構成および動作について、順次説明する。
【００２８】
＜外観構成＞
最初に、本発明の実施形態に係るデジタルカメラ１０ａの外観構成を説明する。図１は、デジタルカメラ１０ａの外観構成を示す図であり、図１（ａ）がデジタルカメラ１０ａの正面図、図１（ｂ）がデジタルカメラ１０ａの背面図に相当する。
【００２９】
図１（ａ）に示すように、デジタルカメラ１０ａは、カメラ本体１と撮影レンズ２とから構成される一眼レフ型のデジタルカメラである。
【００３０】
交換可能な撮影レンズ２は、カメラ本体１の正面略中央部に設けられたマウント部（不図示）に装着され、デジタルカメラ１０ａの正面方向からの入射光をＣＣＤ２６（図２，図３参照）の受光面に結像させる役割を果たしている。デジタルカメラ１０ａでは、マウント部の近傍に設けられた着脱ボタン３の押下によって、撮影レンズ２をカメラ本体１から着脱可能である。マウント部の近傍には、カメラ本体１と撮影レンズ２との電気的接続を行うための複数個の電気的接点（不図示）と、カメラ本体１と撮影レンズ２との機械的接続を行うための複数個のカプラ（不図示）とが設けられる。
【００３１】
デジタルカメラ１０ａの正面左端部には、カメラ本体１のホールドを容易ならしめるためのグリップ部４が設けられる。グリップ部４の上面には、レリーズボタン７が設けられる。レリーズボタン７は、半押し状態および全押し状態を識別可能な２段階押しボタンとなっている。
【００３２】
図１（ａ）および図１（ｂ）に示すように、デジタルカメラ１０ａの上面には、正面から見て右方に制御値設定ダイアル５が設けられ、正面から見て左方にモード設定ダイアル６が設けられる。制御値設定ダイアル５は、デジタルカメラ１０ａの各種制御値を設定するために用いられる。モード設定ダイアル６は、デジタルカメラ１０ａの動作モードを、静止画撮影モード、動画撮影モードおよび再生モードの間で切り替えるために用いられる。
【００３３】
図１（ｂ）に示すように、デジタルカメラ１０ａの背面略中央上部には、ファインダ窓１７が設けられる。ファインダ窓１７には、撮影レンズ２が取得した被写体像が導かれる。さらに、ファインダ窓１７からは、デジタルカメラ１０ａの状態に関する情報を表示するファインダ表示部１８（図３参照）を視認可能となっている。
【００３４】
デジタルカメラ１０ａの背面略中央部には、背面表示部１９が設けられる。背面表示部１９は、デジタルカメラ１０ａの状態に関する情報の表示や、記録画像の再生表示や、各種設定を行うためのメニュー画面の表示に用いられる。
【００３５】
背面表示部１９の左上部には、電源スイッチ２０が設けられる。電源スイッチ２０は、２ポジションのスライドスイッチであり、ノブを左方のＯＦＦ位置に移動するとデジタルカメラ１０ａの電源がＯＦＦとなり、ノブを右方のＯＮ位置に移動するとデジタルカメラ１０ａの電源がＯＮとなる。
【００３６】
背面表示部１９の右方には、円形の操作ボタン２１ａを備える方向選択キー２１が設けられる。方向選択キー２１は、操作ボタン２１ａの上、下、左、右、右上、右下、左上、左下の位置に対する押圧操作を検出可能である。方向選択キー２１は、複数の機能の割当を受けており、例えば、メニュー画面における選択項目の変更や、複数のサムネイル画像が配列表示されたインデックス画面における選択画像の変更や、撮影レンズ２のズーム倍率の変更に用いられる。
【００３７】
背面表示部１９の下方には、取消スイッチ２２、確定スイッチ２３、メニュー表示スイッチ２４および背面表示切替スイッチ２５が設けられる。取消スイッチ２２および確定スイッチ２３は、それぞれ、メニュー画面における選択の取消指示および確定指示をデジタルカメラ１０ａに与えるための押しボタンスイッチである。メニュー表示スイッチ２４は、背面表示部１９にメニュー画面を呼び出すために用いられるとともに、呼び出されたメニュー画面の内容を切り替えるためにも用いられる。背面表示切替スイッチ２５は、背面表示部１９の表示・非表示を切り替えるために用いられる。
【００３８】
＜内部構成＞
続いて、デジタルカメラ１０ａの内部構成を説明する。図２は、デジタルカメラ１０ａの内部構成を示す図であり、図２（ａ）がデジタルカメラ１０ａの正面透視図、図２（ｂ）がデジタルカメラ１０ａの側面断面図に相当している。
【００３９】
図２（ａ）に示すように、グリップ４の内部のメモリカード収納室には、メモリカード９４が装填される。メモリカード９４は、カメラ本体１から着脱可能となっている。さらに、グリップ部４の内部には、電池収納室が設けられる。電池収納室には、デジタルカメラ１０ａの動作電力を供給する電池（例えば、４本の単三型乾電池）が交換可能に収納される。
【００４０】
図２（ｂ）に示すように、撮影レンズ２の後方適所には、撮像素子であるＣＣＤ２６が配設される。基板２６ａ上に実装されたＣＣＤ２６の受光面は、撮影レンズ２の光軸Ｌと垂直に交差している。ＣＣＤ２６の受光面には、光電変換の単位となる受光セルが縦横両方向（例えば、縦１２００画素×横１６００画素）に配列される。各受光セルの表面には、Ｒ（赤），Ｇ（緑），Ｂ（青）のいずれかの色のカラーフィルタが貼り付けられる。受光セルが光電変換により出力する画素信号の色成分は、当該受光セルの表面に貼り付けられたカラーフィルタの色と対応づけられる。カラーフィルタの色の配列は、いわゆるベイヤー配列となっている。なお、撮像素子として、ＣＣＤ２６に代えて、ＣＭＯＳイメージセンサやＶＭＩＳイメージセンサを使用してもよい。
【００４１】
ＣＣＤ２６の前方には、縦走りフォーカルプレーンシャッタであるシャッタ１１２が設けられる。
【００４２】
シャッタ１１２のさらに前方には、ハーフミラー１０４およびサブミラー１１０からなるクイックリターンミラー１１３が設けられる。
【００４３】
図２（ｂ）に示すように、ハーフミラー１０４は、撮影待機時には、撮影レンズ２からの入射光の一部を反射して焦点板１０６に結像させるとともに、一部を透過して後方に設けられたサブミラー１１０に導く。サブミラー１１０に導かれた入射光はさらに反射されて焦点検出部１１１へ導かれる。焦点検出部１１１は、フォーカス状態の検出を行う。ハーフミラー１０４は、ＣＣＤ２６の露光時には、サブミラー１１０と共に上方へ跳ね上げられて、焦点板１０６の直下の退避位置で停止される。ハーフミラー１０４が退避位置に退避されているときは、入射光はＣＣＤ２６の受光面に導かれる。
【００４４】
デジタルカメラ１０ａは、さらに、焦点板１０６に結像された被写体像をファインダ窓１７の外側へ導くファインダ光学系１０５を備える。ファインダ光学系１０５は、ペンタプリズム１０７および接眼レンズ１０８を備える。ペンタプリズム１０７は、焦点板１０６に結像された被写体像を反射して接眼レンズ１０８へ導き、接眼レンズ１０８は被写体像をさらにファインダ窓１７の外側へ導く。
【００４５】
＜電気的構成＞
続いて、デジタルカメラ１０ａの電気的構成を説明する。図３は、デジタルカメラ１０ａの電気的構成を示すブロック図である。
【００４６】
図３に示すように、デジタルカメラ１０ａは、撮影レンズ２、撮像部４０、信号処理部５０、レンズ制御部６０、表示部７０、操作部８０、全体制御部９０、ハーフミラー駆動部１２０およびシャッタ制御部１４０等を備える。
【００４７】
○撮影レンズ；
撮影レンズ２は、フォーカス状態を変化させるためのフォーカスレンズ２０１と、ズーム倍率を変化させるためのズームレンズ２０２と、ＣＣＤ２６への入射光量を変化させるための絞り２０３とを備える。さらに、撮影レンズ２は、撮影レンズ２に関する固有の情報（開放Ｆ値や焦点距離等の情報）を格納したレンズＲＯＭ（不図示）を内蔵している。デジタルカメラ１０ａでは、先述の電気的接点を介して、レンズＲＯＭに記憶された情報が全体制御部９０へ送出されるとともに、撮影レンズ２の内部のフォーカスレンズ２０１やズームレンズ２０２の位置の情報が全体制御部９０へ送出される。また、デジタルカメラ１０ａでは、先述のカプラを介して、後述するフォーカスレンズ駆動用モータ６１およびズームレンズ駆動用モータ６２の駆動力が、それぞれ、フォーカスレンズ２０１およびズームレンズ２０２に伝達される。
【００４８】
○撮像部；
撮像部４０は、撮像（光電変換）を行い、撮像画像に係る画像信号を生成する。撮像部４０は、ＣＣＤ２６、タイミングジェネレータ４１およびタイミング制御回路４２を備える。
【００４９】
ＣＣＤ２６は、タイミングジェネレータ４１から入力される駆動制御信号（蓄積開始信号・蓄積終了信号）に応答して、受光面に結像された被写体像の露光（光電変換による電荷蓄積）を行い、当該被写体像に係る画像信号を生成する。さらに、ＣＣＤ２６は、タイミングジェネレータ４１から入力される読出制御信号（水平同期信号・垂直同期信号・転送信号等）に応答して、当該画像信号を信号処理部５０へ出力する。
【００５０】
タイミングジェネレータ４１は、タイミング制御回路４２から入力される撮影制御信号に基づいて駆動制御信号を生成するとともに、タイミング制御回路４２から入力される基準クロック信号に基づいて読出制御信号を生成し、生成した駆動制御信号および読出制御信号をＣＣＤ２６へ出力する。
【００５１】
タイミング制御回路４２は、全体制御部９０から入力される制御信号に基づいて撮影制御信号を生成する。この撮影制御信号は、動画撮影モードにおいて被写体の動画像を背面表示部１９に表示するための制御信号、静止画撮影モードにおいて被写体の静止画を撮影するための制御信号、基準クロック信号、ＣＣＤ２６から出力される画像信号を信号処理部５０で信号処理するためのタイミング信号（同期クロック信号）等をも含む。このタイミング信号は、信号処理部５０のアナログ信号処理回路５１およびＡ／Ｄ変換回路５２に入力される。
【００５２】
○信号処理部；
信号処理部５０は、ＣＣＤ２６から与えられる画像信号に所定のアナログ信号処理およびデジタル信号処理を行い、撮像画像に係る画像データを生成する。信号処理部５０における信号処理は、画像信号を構成する画素信号ごとに行われる。信号処理部５０は、アナログ信号処理回路５１、Ａ／Ｄ変換回路５２、黒レベル補正回路５３、ホワイトバランス（ＷＢ）回路５４、γ補正回路５５およびバッファメモリ５６を備える。これらの構成のうち、黒レベル補正回路５３、ホワイトバランス（ＷＢ）回路５４およびγ補正回路５５は、デジタル信号処理を行う。
【００５３】
アナログ信号処理回路５１は、ＣＣＤ２６から与えられたアナログ画像信号にアナログ信号処理を施す。具体的には、アナログ信号処理回路５１は、画像信号のサンプリングノイズを低減するＣＤＳ（相関二重サンプリング）回路と、画像信号のレベル調整を行うＡＧＣ（自動利得調節）回路とを備えている。ＡＧＣ回路は、極端に低輝度の被写体を撮影する場合等の、撮影レンズ２に内蔵される絞り２０３およびＣＣＤ２６の露光時間の制御により適正露出が得られない場合に、撮影画像のレベル不足を補償する機能も有する。なお、ＡＧＣ回路のゲインは全体制御部９０により設定される。
【００５４】
Ａ／Ｄ変換回路５２は、アナログ信号処理回路５１が出力したアナログ画像信号をデジタル画像信号（以下では、「画像データ」とも称する）へ変換する。Ａ／Ｄ変換回路５２は、各受光セルが出力した画素信号を、例えば、１２ビットの画素データへ変換する。
【００５５】
黒レベル補正回路５３は、Ａ／Ｄ変換回路５２が出力した画像データを構成する各画素データの黒レベルを基準の黒レベルに補正する。
【００５６】
ＷＢ回路５４は、画像のホワイトバランス調整を行う。ＷＢ回路５４は、全体制御部９０から与えられるレベル変換テーブルを用いて、各色成分Ｒ，Ｇ，Ｂの画素データのレベルを変換することにより、ホワイトバランス調整を行う。レベル変換テーブルの各色成分の変換係数は、撮影画像ごとに全体制御部９０から与えられる。
【００５７】
γ補正回路５５は、撮像画像の階調変換を行う。具体的には、γ補正回路５５は、階調変換用ルックアップテーブル（階調変換ＬＵＴ）として保持されたγ補正テーブルを用いて、画像データを構成する各画素データのγ補正を行う。当該γ補正においては、入力された１２ビットの画素データは、８ビット（２５６階調）の画素データに変換されて出力される。
【００５８】
バッファメモリ５６は、生成された画像データを一時的に記憶するための、高速アクセス可能な画像メモリであり、複数フレーム分の画像データを記憶可能な容量を有する。
【００５９】
○レンズ制御部；
レンズ駆動部６０は、フォーカスレンズ駆動用モータ６１、ズームレンズ駆動用モータ６２および絞り制御ドライバ６３を備える。
【００６０】
フォーカスレンズ駆動用モータ６１は、全体制御部９０から入力されるＡＦ制御信号に基づいて、フォーカスレンズ２０１を移動させる。
【００６１】
ズームレンズ駆動用モータ６２は、全体制御部９０から入力されるズーム制御信号に基づいて、ズームレンズ２０２を移動させる。具体的には、デジタルカメラ１０ａは、操作ボタン２１ａの右位置に対する押圧操作を検出するとズームレンズ２０２を望遠（テレ）側に移動させ、操作ボタン２１ａの左位置に対する押圧操作を検出するとズームレンズ２０２を広角（ワイド）側に移動させる。
【００６２】
絞り制御ドライバ６３は、絞り２０３の絞り値を、全体制御部９０から入力される絞り値に設定する。
【００６３】
○表示部；
表示部７０は、背面表示部１９およびファインダ表示部１８を備える。背面表示部１９は、例えば、縦３００画素×横４００画素を有する矩形のカラー液晶ディスプレイを表示デバイスとして含む。ファインダ表示部１８は、所定の文字、数字、記号およびアイコン等を表示可能な液晶パネルを表示デバイスとして含む。背面表示部１９およびファインダ表示部７１における表示形式および表示内容は、全体制御部９０によって制御される。
【００６４】
○操作部；
操作部８０は、レリーズボタン７が半押し状態となるとＯＮになる撮影スタンバイスイッチ８１およびレリーズボタン７が全押し状態となるとＯＮになるレリーズスイッチ８２の他、制御値設定ダイアル５、モード設定ダイアル６、方向選択キー２１、取消スイッチ２２、確定スイッチ２３、メニュー表示スイッチ２４および背面表示切替スイッチ２５を包含しているが、図３においては、撮影スタンバイスイッチ８１およびレリーズスイッチ８２のみが記載されている。操作部８０の状態は、全体制御部９０によって検出される。
【００６５】
○全体制御部およびその他；
全体制御部９０は、ＲＯＭ９１およびＲＡＭ９２を含むマイクロコンピュータであり、ＲＯＭ９１に格納された制御プログラムにしたがって、デジタルカメラ１０ａの各部の動作を制御する。ＲＡＭ９２には、演算処理や制御処理等における種々のデータが一時的に格納される。
【００６６】
全体制御部９０には、カードインターフェース（カードＩ／Ｆ）９３を介して、画像データを記憶するメモリカード９４が接続される。カードＩ／Ｆ９３は、メモリカード９４への画像データの書込およびメモリカード９４からの画像データの読出を行うためのインターフェースである。カードＩ／Ｆ９４は、メモリカード収納室へのメモリカード９４の装填状態の検出も行っている。
【００６７】
ハーフミラー駆動部１２０は、全体制御部９０から入力される退避信号に応答して、ハーフミラー１０４を先述した退避位置へ退避させる。この退避信号は、ＣＣＤ２６の露光時に全体制御部９０によって生成される。
【００６８】
静止画撮影モードにおいては、全体制御部９０は、撮影スタンバイスイッチ８１がＯＮとなったことを検出すると、自動焦点制御や自動露出制御等の撮影準備動作を開始する。また、全体制御部９０は、レリーズスイッチ８２がＯＮとなったことを検出すると、レリーズ処理（撮影処理）を開始する。すなわち、全体制御部９０は、撮像部４０および信号処理部５０が生成した画像データを、バッファメモリ５６に一時的に記憶する。しかる後に、全体制御部９０は、バッファメモリ５６に記憶された画像データにＪＰＥＧ圧縮処理等を行い、記録先のメモリカード９４にへ転送する。
【００６９】
動画撮影モードにおいては、全体制御部９０は、レリーズスイッチ８２がＯＮとなったことを検出すると、撮影処理利を開始し、撮影処理中に再度レリーズスイッチ８２がＯＮとなったことを検出すると、撮影処理を終了する。
【００７０】
＜ファインダ表示部＞
続いて、ファインダ表示部１８における、デジタルカメラ１０ａの状態に関する情報の表示について説明する。図４は、ファインダ表示部１８における表示を示す図である。
【００７１】
図４に示すように、ファインダ表示部１８には、フラッシュ調光補正表示部８０１、フラッシュ充電完了／調光確認表示部８０２、ワイヤレスフラッシュ表示部８０３、ハイスピードシンクロ表示部８０４、マニュアルフォーカス表示部８０５、ＡＥロック表示部８０６、フォーカス表示部８０７、シャッタ速度表示部８０８、絞り値表示部８０９、測光インジケータ部８１０、手ブレ警告表示部８１１およびバッファ残り駒数表示部８１２が含まれる。
【００７２】
フラッシュ調光補正表示部８０１のアイコンは、フラッシュ調光補正が行われている場合、すなわち、フラッシュ発光量が初期設定と異なる値に設定されている場合に表示される。フラッシュ充電完了／調光確認表示部８０２のアイコンは、フラッシュの充電が完了すると点灯し、撮影時にフラッシュ光が被写体に届くと撮影後に点滅する。ワイヤレスフラッシュ表示部８０３のアイコンは、デジタルカメラ１０ａから離れたプログラムフラッシュを内蔵フラッシュの発光を信号として発光させるワイヤレスフラッシュの設定が行われている場合に点灯する。ハイスピードシンクロ表示部８０４のアイコンは、シャッタ速度の制限を解除したハイスピードシンクロ撮影が可能な状態に設定されている場合に点灯する。マニュアルフォーカス表示部８０５のアイコンは、フォーカスモードが、マニュアル（手動）で自由にピントを合わせることができるマニュアルフォーカスモードに設定されている場合に点灯する。ＡＥロック表示部８０６のアイコンは、露出値（絞り値やシャッタ速度）が固定された状態となっている場合に表示される。フォーカス表示部８０７のアイコンは、フォーカス状態に応じて様々に変化する。シャッタ速度表示部８０８および絞り値表示部８０９には、それぞれ、シャッタ速度および絞り値が表示される。測光インジケータ部８１０には、露出補正値が表示される。手ブレ警告表示部８１１のアイコンは、シャッタ速度が遅くなっているために手ブレが発生する恐れがある場合に点灯する。バッファ残り駒数表示部８１２は、バッファメモリ５６に記憶可能な画像データ数（以下では、「バッファ残り駒数」とも称する）を表示する。
【００７３】
なお、ファインダ表示部１８では、シャッタ速度、絞り値およびバッファ残り駒数は、７セグメント表示により行われるが、図４では、７つのセグメントが全て点灯した状態が図示されている。
【００７４】
＜背面表示部＞
続いて、背面表示部１９における、デジタルカメラ１０ａの状態に関する情報の表示について説明する。図５は、背面表示部１９における表示を示す図である。
【００７５】
図５に示すように、デジタルカメラ１０ａの状態に関する情報の表示を行う画面には、露出モード表示部９０１、シャッタ速度表示部９０２、絞り値表示部９０３、フラッシュモード表示部９０４、測光インジケータ部９０５、測光エリア表示部９０６、ＡＦモード表示部９０７、ＡＦエリア表示部９０８、撮影モード表示部９０９、現像モード表示部９１０、感度モード表示部９１１、画質モード表示部９１２、バッテリ状態表示部９１３、ホワイトバランスモード表示部９１４およびカード残り駒数表示部９１５が含まれる。
【００７６】
露出モード表示部９０１、フラッシュモード表示部９０４、ＡＦモード表示部９０８、撮影モード表示部９０９、現像モード表示部９１０、感度モード表示部９１１、画質モード表示部９１２およびホワイトバランスモード表示部９１４の表示は、設定されている露出モード、フラッシュモード、ＡＦモード、撮影モード、現像モード、感度モード、画質モードおよびホワイトバランスモードに応じて様々に変化する。シャッタ速度表示部９０２および絞り値表示部９０３には、それぞれ、シャッタ速度および絞り値が表示される。なお、図５のシャッタ速度表示部９０２には、レリーズボタン７を全押ししている間はシャッタ１１２が開いたままになるバルブ撮影を実行可能な場合の表示である。測光インジケータ部９０５には、露出補正値（上半分）およびフラッシュ調光補正値（下半分）が表示される。測光エリア表示部９０６、ＡＦエリア表示部９０７の表示は、設定されている測光エリア、ＡＦエリアに応じて様々に変化し、設定されている測光エリア、ＡＦエリアを撮影者に認識させる。バッテリ状態表示部９１３のアイコンは、電池収納室に収納された電池の残容量に応じて変化する。カード残り駒数表示部９１５は、メモリカード９４に記憶可能な画像データ数（以下では、「カード残り駒数」とも称する）を表示する。
【００７７】
なお、ファインダ表示部１８では、シャッタ速度、絞り値およびカード残り駒数は、７セグメント表示により行われるが、図５では、７つのセグメントが全て点灯した状態が図示されている。
【００７８】
＜機能的構成＞
以下では、バッファ残り駒数表示部８１２およびカード残り駒数表示部９１５における表示に係るデジタルカメラ１０ａの機能的構成について、図６のブロック図を参照しながら説明する。図６における、バッファメモリ状態検出部９６、メモリカード状態検出部９７、表示制御部９５は、マイクロコンピュータである全体制御部９０が、ＲＯＭ９１に格納された制御プログラムを実行することにより実現される機能を表現した機能ブロックである。
【００７９】
バッファメモリ状態検出部９６は、バッファメモリ５６の状態を検出して、バッファメモリ５６の状態に関する情報を表示制御部９５へ出力する。具体的には、バッファメモリ状態検出部９６は、バッファメモリ５６の空容量を検出し、バッファメモリ５６に新たに記憶可能な画像データ数、すなわち、バッファ残り駒数ｍを算出して表示制御部９５へ出力する。
【００８０】
メモリカード状態検出部９７は、メモリカード９４の状態をカードＩ／Ｆ９３を介して検出して、メモリカード９４の状態に関する情報を表示制御部９５へ出力する。具体的には、メモリカード状態検出部９７は、メモリカード９４の空容量およびメモリカード収納室への装填状態を検出し、メモリカード９４に新たに記憶可能な画像データ数、すなわち、カード残り駒数ｎを算出して表示制御部９５へ出力するとともに、メモリカード９４の装填状態の情報を表示制御部９５へ出力する。
【００８１】
表示制御部９５は、入力されたバッファ残り駒数ｍ、カード残り駒数ｎおよびメモリカード９４の装填状態に基づいて、バッファ残り駒数表示部８１２およびカード残り駒数表示部９１５における表示を制御している。
【００８２】
なお、表示制御部９５の制御の対象となる「表示」とは、「表示内容」および「表示形式」を包含している。ここでいう「表示内容」とは、数値、文字列、アイコン等に代表される、それ自身が実質的な意味を有する情報であるが、本実施形態では、特に、バッファ残り駒数ｍ、カード残り駒数ｎおよびメモリカード９４の装填状態の情報等を指している。また、ここでいう「表示形式」とは、色、サイズ、書式等に代表される表示のあり様（表示の態様）であるが、本実施形態では、特に、メモリカード９４の状態を間接的に示す情報となる点灯表示（継続する表示）、点滅表示（規則的に断続する表示）を指している。
【００８３】
＜バッファ残り駒数表示部の表示＞
バッファ残り駒数表示部８１２には、通常の場合、バッファ残り駒数ｍが点灯表示されているが、メモリカード９４が所定の状態である場合、表示形式および表示内容のうちの少なくともひとつが、それぞれ、バッファ残り駒数ｍおよび点灯表示から変更される。
【００８４】
当該表示制御により、バッファ残り駒数ｍと、メモリカード９４が所定の状態になったこととを、ファインダ表示部１８のみから認識可能となるので、メモリカード９４の状態を確認するためにファインダ窓１７から目を離して背面表示部１９を見る必要がなくなり、デジタルカメラ１０ａの利便性が向上する。また、メモリカード９４が所定の状態となったころを報知するための部材を設ける必要がなくなるので、デジタルカメラ１０ａのコストダウンや小型化を実現可能になる。
【００８５】
以下では、表示制御部９５によって実現される当該変更について、図７を参照しながら説明する。図７は、バッファ残り駒数ｍ、カード残り駒数ｎおよびメモリカード９４の装填状態による、バッファ残り駒数表示部８１２における表示変化を示す図である。
【００８６】
○通常状態；
図７における通常状態は、
１．メモリカード９４がメモリカード収納室に装填されている（メモリカード９４にアクセス可能である）；
２．新たな画像データを記憶するための記憶容量がバッファメモリ５６に残っている（ｍ≧１）；
３．新たな画像データを記憶するための記憶容量がメモリカード９４に残っている（ｎ≧１）；
４．カード残り駒数ｎがバッファ残り駒数ｍ以上である（ｎ≧ｍ）；
の４条件が満たされる状態である。通常状態は、カード残り駒数ｎがバッファ残り駒数ｍより大きいので、直後の短い時間内に撮影可能な枚数がバッファ残り駒数ｍと一致する状態となっている。したがって、通常状態では、カード残り駒数ｎよりもバッファ残り駒数ｍの方が操作者にとって重要な情報であるので、バッファ残り駒数表示部８１２における表示内容はバッファ残り駒数ｍであり、その表示形式はデフォルトの点灯表示である。通常状態における当該表示を、以下では、「バッファ残り駒数表示」とも称する（図８（１）参照）。なお、図８（１）には、ｍ＝３である場合が示されている。
【００８７】
○カード残り不足状態；
図７におけるカード残り不足状態は、
１．メモリカード９４がメモリカード収納室に装填されている（メモリカード９４にアクセス可能である）；
２．新たな画像データを記憶するための記憶容量がバッファメモリ５６に残っている（ｍ≧１）；
３．新たな画像データを記憶するための記憶容量がメモリカード９４に残っている（ｎ≧１）；
４．バッファ残り駒数ｍよりも、カード残り駒数ｎが少ない（ｎ＜ｍ）；
という４条件が満たされる状態である。カード残り不足状態では、カード残り駒数ｎがバッファ残り駒数ｍより少ないので、直後の短い時間内に撮影可能な枚数がカード残り駒数ｎと一致する状態となっている。したがって、カード残り不足状態では、バッファ残り駒数ｍよりもカード残り駒数ｎの方が操作者にとって重要な情報であるので、バッファ残り駒数表示部８１２における表示内容はカード残り駒数ｎであり、その表示形式は点灯表示である。すなわち、表示制御部９５は、カード残り駒数ｎがバッファ残り駒数ｍより少なくなった場合に、表示内容を、バッファ残り駒数ｍから、メモリカード９４の状態を反映したカード残り駒数ｎへ変更している。カード残り不足状態における当該表示を、以下では、「カード残り駒数表示」とも称する。
【００８８】
カード残り不足状態においてカード残り駒数表示を行うことにより、バッファメモリ５６に記憶された画像データの全てをメモリカード９４へ転送できない場合があることを認識可能であるので、新たな画像データを記憶するための記憶容量がバッファメモリ５６に残っている場合に、メモリカード９４への新たな画像データの記憶が不可能であることに気がつかずに撮影を行うことを防止可能である。
【００８９】
加えて、カード残り駒数表示により、表示内容にメモリカード９４の状態が反映されるので、メモリカード９４の具体的な状態を認識可能となる。
【００９０】
○バッファフル状態；
図７におけるバッファフル状態は、
１．メモリカード９４がメモリカード収納室に装填されている（メモリカードにアクセス可能である）；
２．新たな画像データを記憶するための記憶容量がバッファメモリに残っていない（ｍ＝０）；
３．新たな画像データを記憶するための記憶容量がメモリカードに残っている（ｎ≧１）；
という３条件が満たされる状態である。バッファフル状態では、バッファ残り駒数ｍが０であるので、カード残り駒数ｎに関わらず、直後の短い時間に撮影を行うことはできない。したがって、バッファフル状態では、カード残り駒数ｎよりも、バッファ残り駒数ｍが０であるという情報の方が操作者にとって重要な情報であるので、バッファ残り駒数表示部８１２における表示内容は「０」であり、その表示形式は点灯表示である。バッファフル状態における当該表示を、以下では、「バッファフル表示」とも称する（図８（２）参照）。
【００９１】
○カードフル状態；
図７におけるカードフル状態は、
１．メモリカード９４がメモリカード収納室に装填されている（メモリカードにアクセス可能である）；
２．新たな画像データを記憶するための記憶容量がメモリカード９４に残っていない（ｎ＝０）；
という２条件が満たされる状態である。カードフル状態では、カード残り駒数ｎが０であるので、バッファ残り駒数ｍに関わらず、撮影を行うことはできない。したがって、カードフル状態では、バッファ残り駒数ｍよりもカード残り駒数ｎが０であるという情報の方が操作者にとって重要な情報であるので、バッファ残り駒数表示部８１２における表示内容は「０」であり、その表示形式は点滅表示である。すなわち、表示制御部９５は、カード残り駒数ｎが０となった場合に、表示内容を、バッファ残り駒数ｍからカード残り駒数ｎである「０」へ変更し、表示形式を、点灯表示からメモリカード９４の状態を反映した点滅表示へ変更している。カードフル状態における当該表示を、以下では、「カードフル表示」とも称する（図８（３）参照）。
【００９２】
カードフル状態においてカードフル表示を行うことにより、メモリカード９４への新たな画像データの記憶が不可能であることを認識可能となるので、新たな画像データを記憶するための記憶容量がバッファメモリ５６に残っている場合に、メモリカード９４への新たな画像データの記憶が不可能であることに気がつかずに撮影を行うことを防止可能である。
【００９３】
加えて、カードフル表示によれば、メモリカード９４がカードフル状態となったことを表示形式の変更により認識可能となるので、表示内容がバッファフル状態と同じであっても、メモリカード９４がカードフル状態となったことを認識可能である。
【００９４】
さらに加えて、カードフル表示により、表示内容にメモリカード９４の状態が反映されるので、メモリカード９４の具体的な状態を認識可能となる。
【００９５】
○カード未装填状態；
図７におけるカード未装填状態は、
１．メモリカード９４がメモリカード収納室に装填されていない（メモリカード９４にアクセス不可能である）；
という条件が満たされる状態である。カード未装填状態では、メモリカード９４にアクセス不可能であるので、バッファ残り駒数ｍに関わらず、撮影を行うことはできない。したがって、カード未装填状態では、バッファ残り駒数ｍよりもメモリカード９４がメモリカード収納室に装填されていないという情報の方が操作者にとって重要な情報であるので、バッファ残り駒数表示部８１２における表示内容は、メモリカード９４がメモリカード収納室に装填されていないことを示す「Ｅ」であり、その表示形式は点滅表示である。すなわち、表示制御部９５は、メモリカード９４にアクセス不可能である場合に、表示内容を、バッファ残り駒数ｍからメモリカード９４の状態を反映した「Ｅ」へ変更し、表示形式を、点灯表示からメモリカード９４の状態を反映した点滅表示へ変更している。カード未装填状態における当該表示を、以下では、「カード未装填表示」とも称する（図８（４）参照）。
【００９６】
カード未装填状態においてカード未装填表示を行うことにより、メモリカード９４へのアクセスができない状態であることを認識可能となるので、新たな画像データを記憶するための記憶容量がバッファメモリ５６に残っている場合に、メモリカード９４へのアクセスができないことに気がつかずに撮影を行うことを防止可能である。
【００９７】
加えて、カード未装填表示により、表示内容にメモリカード９４の状態が反映されるので、メモリカード９４の具体的な状態を認識可能となる。
【００９８】
＜カード残り駒数表示部の表示＞
カード残り駒数表示部９１５には、通常の場合、カード残り駒数ｎが点灯表示されている（図９（１）参照）。通常の場合における当該表示を、以下では、「カード残り駒数表示」とも称する。なお、図９（１）には、ｎ＝９である場合が示されている。
【００９９】
一方、カードフル状態においては、カード残り駒数表示部９１５には、カード残り駒数ｎが０であることを示すカードフル表示（「００００」の点滅表示）が行われる（図９（２）参照）。また、カード未装填状態においては、カード残り駒数表示部９１５には、メモリカード９４が未装填であることを示すカード未装填表示（「−−−−」の点灯表示）が行われる（図９（３）参照）。
【０１００】
＜デジタルカメラの撮影動作＞
○デジタルカメラの動作；
以下では、静止画撮影モードにおけるデジタルカメラ１０ａの動作を説明する。図１０は、静止画撮影モードにおけるデジタルカメラ１０ａの動作を示すフローチャートである。
【０１０１】
図１０に示すように、静止画撮影モードにおいては、まず、バッファメモリ状態検出部９６がバッファメモリ５６の状態を検出して、バッファ残り駒数ｍを表示制御部９５へ出力するととともに（ステップＳ１）、メモリカード状態検出部９７がメモリカード９４の状態を検出して、カード残り駒数ｎおよび装着状態の情報を表示制御部９５へ出力する（ステップＳ２）。さらに、表示制御部９５は、カード残り駒数表示部９１５およびバッファ残り駒数表示部８１２の表示更新処理を行う（ステップＳ３）。この表示更新処理の詳細な処理内容は後述する。
【０１０２】
続くステップＳ４では、バッファメモリ５６の状態に応じた分岐処理が行われ、バッファ残り駒数ｍが０（以下では、「バッファフル」とも称する）である場合、動作フローはステップＳ１へ戻り、バッファフルではない場合、動作フローはステップＳ５へ移行する。
【０１０３】
ステップＳ５では、メモリカード９４の状態に応じた分岐処理が行われ、カード残り駒数ｎが０（以下では、「カードフル」とも称する）である場合、動作フローはステップＳ１へ戻り、カードフルではない場合、動作フローはステップＳ６へ移行する。
【０１０４】
ステップＳ６では、レリーズスイッチ８２の状態の検出が行われ、レリーズスイッチ８２がＯＮであることが検出された場合、動作フローはステップＳ７へ移行し、検出されない場合、動作フローはステップＳ１へ戻る。
【０１０５】
以上のステップＳ１〜Ｓ６により、レリーズスイッチ８２がＯＮとなるまで、バッファ残り駒数表示部８１２およびカード残り駒数表示部９１５には、最新の情報が更新されつつ表示されることになる。
【０１０６】
さらに続いて、デジタルカメラ１０ａでは、レリーズ処理が行われ、バッファメモリ５６に撮影画像に係る画像データが格納され（ステップＳ７）、当該画像データのメモリカード９４への転送が開始される（ステップＳ８）。しかる後に、動作フローはステップＳ１へ戻る。
【０１０７】
なお、デジタルカメラ１０ａは、画像データのメモリカード９４への転送処理と平行して、ステップＳ１〜ステップＳ７の各ステップの処理を行うことができる。
【０１０８】
以上の動作フローにより、バッファ残り駒数表示部８１２の表示は、デジタルカメラ１０ａにおいて撮影が行われ、撮影画像に係る画像データがメモリカード９４へ記憶されるのに応答して更新されることになる。これにより、デジタルカメラ１０ａでは、バッファ残り駒数表示部８１２に最新の情報が表示され、バッファメモリ５６およびメモリカード９４の状態に関する最新の情報を認識可能となる。
【０１０９】
○表示更新処理について；
以下では、図１０のステップＳ３の表示更新処理に係るサブルーチンについて説明する。図１１は、当該サブルーチンの動作フローを示すフローチャートである。
【０１１０】
図１１に示すように、当該サブルーチンにおいては、最初に、表示制御部９５が、メモリカード９４の装填状態に応じた分岐処理を行う（ステップＳ３０１）。ステップＳ１において、カード未装填状態の場合、カード残り駒数表示部９１５にカード未装填表示が行われ（ステップＳ３０２）、バッファ残り駒数表示部８１２にもカード未装填表示が行われる（ステップＳ３０３）。一方、カード未装填状態でない場合、動作フローはステップＳ３０４へ移行する。
【０１１１】
ステップＳ３０４では、表示制御部９５が、カード残り駒数ｎに応じた分岐処理を行う。ステップＳ３０４において、カードフル状態の場合、カード残り駒数表示部９１５にカードフル表示が行われ（ステップＳ３０５）、バッファ残り駒数表示部８１２にもカードフル表示が行われる（ステップＳ３０６）。一方、カードフル状態でない場合、カード残り駒数表示部９１５にカード残り駒数表示が行われ（ステップＳ３０７）、しかる後に、動作フローはステップＳ３０８へ移行する。
【０１１２】
ステップＳ３０８では、表示制御部９５が、バッファ残り駒数ｍに応じた分岐処理を行う。ステップＳ３０８において、バッファフル状態である場合、バッファ残り駒数表示部８１２にバッファフル表示が行われる（ステップＳ３０９）。一方、バッファフル状態でない場合、動作フローはステップＳ３１０へ移行する。
【０１１３】
ステップＳ３１０においては、カード残り不足状態である場合、バッファ残り駒数表示部８１２にバッファ残り駒数表示が行われる（ステップＳ３１１）。一方、カード残り不足状態でない場合、バッファ残り駒数表示部８１２にバッファ残り駒数表示が行われる（ステップＳ３１２）。
【０１１４】
ステップＳ３０３，Ｓ３０６，Ｓ３０９，Ｓ３１１，Ｓ３１２に続くステップＳ３１３では、レリーズスイッチ８２の状態が検出され、レリーズスイッチ８２がＯＮであることが検出された場合、動作フローはステップＳ３１４へ移行する。一方、レリーズスイッチ８２がＯＮであることが検出されない場合、ファインダ表示部１８のバッファ残り駒数表示部８１２以外の部分（以下では、「撮影情報表示部」とも称する）に撮影情報が表示され（ステップＳ３１５）、しかる後に本サブルーチンの操作フローが終了する。
【０１１５】
ステップＳ３１４においては、カードフル状態であるかどうかの検出が行われ、カードフル状態である場合には、バッファ残り駒数表示部８１２にカードフル表示が行われ（ステップＳ３１６）、カードフル状態でない場合には、撮影情報表示部に撮影情報が表示され（ステップＳ３１５）、しかる後に本サブルーチンの操作フローが終了する。
【０１１６】
＜ユーザの操作およびデジタルカメラの応答＞
以下では、静止画撮影時のユーザの操作および当該操作に対するデジタルカメラ１０ａの応答について、図１２〜図１４のタイミングチャートを参照しながら説明する。なお、以下では、バッファメモリ５６に記憶可能な最大画像データ数が３であり、メモリカード９４に記憶可能な最大画像データ数が９であるとして説明を進める。
【０１１７】
図１２〜図１４のタイミングチャートでは、横方向が時間の経過に対応しており、上段から順に、（ａ）メモリカード９４の装着状態、（ｂ）レリーズスイッチ８２の状態、（ｃ）レリーズ処理の状態、（ｄ）バッファメモリ５６への画像データのバッファ処理（以下では、単に「バッファ処理」とも称する）の状態、（ｅ）メモリカード９６の残容量、（ｆ）バッファ残り駒数表示部８１２の表示、（ｇ）カード残り駒数表示部９１５の表示、（ｈ）撮影情報表示部の表示、の時間変化が示されている。また、図１２〜図１４のタイムチャートの最上部には、時点を特定する記号Ｔｎ（ｎ：整数）が記されている。
【０１１８】
なお、バッファ処理の状態が示されている段に記載された台形ＴＲ（例えば、図１２参照）は、ひとつの画像データに係るバッファ処理を示し、台形ＴＲの左辺はバッファメモリ９６への画像データの書込に、台形ＴＲの右辺はバッファメモリ９６からの画像データの読出に対応している。また、メモリカード９６の残容量が示されている段には、残容量の変化が、縦方向がカード残り駒数ｎとなっているグラフで示されている。
【０１１９】
○メモリカード装填操作に対する応答（時点Ｔ１１〜時点Ｔ１２）；
図１２に示すように、メモリカード９４が装填されていない、時点Ｔ１１〜時点Ｔ１２においては、バッファ残り駒数表示部８１２およびカード残り駒数表示部９１５には、それぞれ、「Ｅ」の点滅表示（カード未装填表示）および「−−−−」の点灯表示（カード未装填表示）が行われている。また、撮影情報表示部には、撮影情報が表示される。この撮影情報の表示は、後述する警告表示が行われている間を除いて、継続される。この状態においては、レリーズ処理の状態は、レリーズ待機状態となっている。なお、メモリカード９４が装填されていないにも関わらず、レリーズ処理の状態をレリーズ禁止状態としていないのは、販売店店頭での展示時等にも顧客がデジタルカメラ１０ａを操作できるように考慮したことによるものである。
【０１２０】
時点Ｔ１２において、メモリカード９４がメモリカード収納室に装填されると、バッファ残り駒数表示部８１２およびカード残り駒数表示部９１５には、それぞれ、「３」の点灯表示（バッファ残り駒数表示）および「９」の点灯表示（カード残り駒数表示）が行われる。
【０１２１】
○単射操作に対する応答（時点Ｔ２１〜時点Ｔ２４）；
時点Ｔ２１〜時点Ｔ２４では、レリーズスイッチ８２が１回だけ短時間ＯＮとなり、１回のレリーズ処理が行われる。これは、いわゆる単射操作に対するデジタルカメラ１０ａの応答となっている。
【０１２２】
時点Ｔ２１にレリーズスイッチ８２がＯＮとなると、レリーズ待機状態であったデジタルカメラ１０ａでは、レリーズ処理ＲＬ２１およびバッファ処理ＢＦ２１が行われる。バッファ処理ＢＦ２１において、画像データのバッファメモリ５６への書込が完了すると（時点Ｔ２２）、バッファ残り駒数表示部８１２の表示は、バッファ残り駒数ｍの減少を反映して、「３」から「２」へと切り替わる（バッファ残り駒数表示）。
【０１２３】
続いて、時点Ｔ２３〜時点Ｔ２４では、バッファメモリ５６から画像データが読み出され、バッファメモリ５６からメモリカード９４への画像データの転送が行わる。これにより、バッファ残り駒数ｍが回復するとともに、カード残り駒数ｎが減少する。そして、画像データの転送が完了すると（時点Ｔ２４）、バッファ残り駒数表示部８１２の表示は「３」へ回復し（バッファ残り駒数表示）、カード残り駒数表示部９１５の表示は「８」へ減少する（カード残り駒数表示）。
【０１２４】
○連射操作に対する応答（時点Ｔ３１〜時点Ｔ３８）；
時点Ｔ３１〜時点Ｔ３８では、レリーズスイッチ８２が１回だけ長時間ＯＮとなり、３回のレリーズ処理ＲＬ３１〜ＲＬ３３が行われる。これは、いわゆる連射操作に対するデジタルカメラ１０ａの応答となっている。
【０１２５】
時点Ｔ３１にレリーズスイッチ８２がＯＮとなると、レリーズ待機状態であったデジタルカメラ１０ａでは、レリーズ処理ＲＬ３１〜ＲＬ３３およびバッファ処理ＢＦ３１〜ＢＦ３３が順次行われる。バッファ処理ＢＦ３１〜ＢＦ３３において、ひとつの画像データのバッファメモリ５６への書込が完了するごとに（時点Ｔ３２、時点Ｔ３３、時点Ｔ３４）、バッファ残り駒数表示部８１２の表示は、バッファ残り駒数ｍの減少を反映して、「３」から「２」「１」（バッファ残り駒数表示）、「０」（バッファフル表示）へと順次切り替わる。なお、バッファフル表示が行われている、時点Ｔ３４〜時点Ｔ３５においては、新たなバッファ処理が不可能であるので、レリーズ処理の状態はレリーズ禁止状態となっている。このため、ユーザが時点Ｔ３４以降もレリーズボタン７の全押しを継続しても（レリーズスイッチ８２のＯＮが時点Ｔ３４以降も継続されても）、デジタルカメラ１０ａでは新たなレリーズ処理は行われない。
【０１２６】
続いて、時点Ｔ３５〜時点Ｔ３８では、バッファメモリ５６から画像データが順次読み出され、バッファメモリ５６からメモリカード９４への画像データの転送が順次行わる。これにより、バッファ残り駒数ｍが再び回復するとともに、カード残り駒数ｎが減少する。そして、ひとつの画像データの転送が完了するごとに（時点Ｔ３６、時点３７、時点３８）、バッファ残り駒数表示部８１２の表示は「１」「２」「３」へ順次回復する（バッファ残り駒数表示）。また、カード残り駒数表示部９１５の表示は、時点Ｔ３６において、「８」から「５」へ減少する（カード残り駒数表示）。なお、時点Ｔ３６以降においても、カード残り駒数ｎは、ひとつの画像データの転送が完了するごとに７，６，５と順次減少するのであるが、デジタルカメラ１０ａでは、メモリカード９４へ転送すべき画像データがバッファメモリ５６に残っており、カード残り駒数ｎの減少が確実である場合に、バッファメモリ５６に残っている画像データの転送終了後のカード残り駒数ｎをカード残り駒数表示部９１５に表示している。
【０１２７】
○複数回の単射操作に対する応答（時点Ｔ４１〜時点Ｔ５１）；
時点Ｔ４１〜時点Ｔ５１では、レリーズスイッチ８２が３回だけ断続的に短時間ＯＮとなり、３回のレリーズ処理ＲＬ４１〜ＲＬ４３が行われる。これは、複数回の短射操作に対するデジタルカメラ１０ａの応答となっている。
【０１２８】
時点Ｔ４１、時点Ｔ４３、時点Ｔ４５にレリーズスイッチ８２がＯＮとなると、レリーズ待機状態であったデジタルカメラ１０ａでは、レリーズ処理ＲＬ４１〜ＲＬ４３およびバッファ処理ＢＦ４１〜ＢＦ４３が順次行われる。バッファ処理ＢＦ４１〜ＢＦ４３において、ひとつの画像データのバッファメモリ５６への書込が完了するごとに（時点Ｔ４２、時点Ｔ４４、時点Ｔ４６）、バッファ残り駒数表示部８１２の表示は、バッファ残り駒数ｍの減少を反映して、「３」から「２」「１」（バッファ残り駒数表示）、「０」（バッファフル表示）へと順次切り替わる。なお、バッファフル表示が行われている、時点Ｔ４６〜Ｔ４７においては、新たなバッファ処理が不可能であるので、レリーズ処理の状態はレリーズ禁止状態となっている。このため、ユーザが時点Ｔ４６以降もレリーズボタン７の全押しを継続しても（レリーズスイッチ８２のＯＮが時点Ｔ４６以降も継続されても）、デジタルカメラ１０ａでは新たなレリーズ処理は行われない。
【０１２９】
続いて、時点Ｔ４６〜時点Ｔ５１では、バッファメモリ５６から画像データが順次読み出され、バッファメモリ５６からメモリカード９４への画像データの転送が順次行わる。これにより、バッファ残り駒数ｍが再び回復するとともに、カード残り駒数ｎが減少する。そして、時点Ｔ４７および時点Ｔ４９において、ひとつの画像データの転送が完了すると、バッファ残り駒数表示部８１２の表示は、それぞれ、「１」「２」へ回復する（バッファ残り駒数表示）。しかし、時点Ｔ５１においては、ひとつの画像データの転送が完了しても、バッファ残り駒数表示部８１２の表示は、「２」のままであり、「３」へは回復しない（カード残り駒数表示）。これは、カード残り駒数ｎ（＝２）が、バッファ残り駒数ｍ（＝３）よりも少ないため、バッファ残り駒数表示部８１２の表示がカード残り駒数表示に切り替えられたことに起因している。このようなカード残り駒数表示は、時点Ｔ５１以降も継続される。
【０１３０】
また、カード残り駒数表示部９１５の表示は、時点Ｔ４７において、「５」から「２」へ減少する（カード残り駒数表示）。この減少は、先述したように、メモリカード９４へ転送すべき画像データがバッファメモリ５６に残っていることによるものである。
【０１３１】
○カード残り不足状態における単射操作に対する応答（時点Ｔ６１〜Ｔ６４）；
時点Ｔ６１にレリーズスイッチ８２がＯＮとなると（単射操作）、レリーズ待機状態であったデジタルカメラ１０ａでは、レリーズ処理ＲＬ６１およびバッファ処理ＢＦ６１が行われる。バッファ処理ＢＦ６１において、画像データのバッファメモリ５６への書込が完了すると（時点Ｔ６２）、バッファ残り駒数表示部８１２の表示は、バッファ残り駒数ｍの減少を反映して、「２」から「１」へと切り替わる（カード残り駒数表示）。
【０１３２】
続いて、時点Ｔ６３〜時点Ｔ６４では、バッファメモリ５６から画像データが読み出され、バッファメモリ５６からメモリカード９４への画像データの転送が行わる。これにより、バッファ残り駒数ｍが回復するとともに、カード残り駒数ｎが減少する。しかし、画像データの転送が完了しても（時点Ｔ６４）、バッファ残り駒数表示部８１２の表示は「１」のまま維持され（カード残り駒数表示）、カード残り駒数表示部９１５の表示は「１」へ減少する（カード残り駒数表示）。
【０１３３】
さらに、時点Ｔ７１〜Ｔ７４では、時点Ｔ６１〜Ｔ６４と同様の単射が行われるが、時点Ｔ７４において、カード残り駒数ｎが０となり、バッファ残り駒数表示部８１２およびカード残り駒数表示部９１５の表示は「０」の点滅（カードフル表示）となる。このようなカードフル状態となった時点以降においては、レリーズ処理は禁止されるとともに、レリーズスイッチがＯＮとなった場合でも、撮影条件表示部に警告表示（図１５）が行われる（図１４参照）。
【０１３４】
＜変形例＞
上述の実施形態では、メモリカードにアクセスできない状態としてメモリカードの未装填状態を例に挙げたが、例えば、メモリカードの故障等によりアクセスできない場合にカード未装填状態と同様の処理を行うようにしてもよい。
【図面の簡単な説明】
【０１３５】
【図１】本発明の実施形態に係るデジタルカメラ１０ａの外観構成を示す図である。
【図２】本発明の実施形態に係るデジタルカメラ１０ａの内部構成を示す図である。
【図３】本発明の実施形態に係るデジタルカメラ１０ａの電気的構成を示すブロック図である。
【図４】ファインダ表示部１８における表示を示す図である。
【図５】背面表示部における表示を示す図である。
【図６】バッファ残り駒数表示に係るデジタルカメラ１０ａの機能的構成を示すブロック図である。
【図７】バッファ残り駒数ｍ、カード残り駒数ｎおよびメモリカード９４の装填状態による、バッファ残り駒数表示部８１２における表示変化を示す図である。
【図８】バッファ残り駒数表示部８１２の表示を示す図である。
【図９】カード残り駒数表示部９１５の表示を示す図である。
【図１０】静止画撮影モードにおけるデジタルカメラ１０ａの動作を示すフローチャートである。
【図１１】表示更新処理に係るサブルーチンの動作フローを示すフローチャートである。
【図１２】静止画撮影時のユーザの操作および当該操作に対するデジタルカメラ１０ａの応答を説明するためのタイムチャートを示す図である。
【図１３】静止画撮影時のユーザの操作および当該操作に対するデジタルカメラ１０ａの応答を説明するためのタイムチャートを示す図である。
【図１４】静止画撮影時のユーザの操作および当該操作に対するデジタルカメラ１０ａの応答を説明するためのタイムチャートを示す図である。
【図１５】撮影条件表示部に警告表示が行われた状態を示す図である。
【符号の説明】
【０１３６】
１０ａ  デジタルカメラ
１７  ファインダ窓
１８  ファインダ表示部
１９  背面表示部
９４  メモリカード
８１２  バッファ残り駒数表示部
９１５  カード残り駒数表示部
【図１】
2006086602.tif 000003
【図２】
2006086602.tif 000004
【図３】
2006086602.tif 000005
【図４】
2006086602.tif 000006
【図５】
2006086602.tif 000007
【図６】
2006086602.tif 000008
【図７】
2006086602.tif 000009
【図８】
2006086602.tif 000010
【図９】
2006086602.tif 000011
【図１０】
2006086602.tif 000012
【図１１】
2006086602.tif 000013
【図１２】
2006086602.tif 000014
【図１３】
2006086602.tif 000015
【図１４】
2006086602.tif 000016
【図１５】
2006086602.tif 000017